(57)【要約】【課題】  装置構成の大型化や総重量の大幅な増加を伴なうことなく食器類の乾燥性能を向上させることができる食器洗い乾燥機を提供する。【解決手段】  排水ポンプ１１の作動によりタンク４の洗浄槽４Ａに溜まった洗浄水を排水して洗浄室内の食器類を乾燥させる際、排水ポンプ１１の回転軸に固定された振動発生部材３２が振動を発生し、その振動がタンク４の支持脚部４Ｄを介して洗浄室内の食器類に伝達される。そして、この振動により、食器の糸底に溜まった残水や食器類の表面に付着した水滴が振り落とされる。その結果、食器類の乾燥時間が短縮されて乾燥性能が向上する。【選択図】  図３
2005052369.tif 000002
【特許請求の範囲】
【請求項１】
洗浄ポンプにより圧送される洗浄水を噴射ノズルから噴射させて洗浄室内の食器類を洗浄し、洗浄室の下方のタンクに溜まった洗浄水を排水ポンプにより排水して洗浄室内の食器類を乾燥させる食器洗い乾燥機であって、
前記排水ポンプの回転軸には、その回転により振動を発生させる振動発生部材が固定されており、この振動発生部材を有する前記排水ポンプが前記タンクに固定されていることを特徴とする食器洗い乾燥機。
【請求項２】
前記排水ポンプは、洗浄水を排水する排水工程から食器類を乾燥させる乾燥工程に亘って作動するように構成されていることを特徴とする請求項1に記載の食器洗い乾燥機。
【発明の詳細な説明】
【技術分野】
【０００１】
本発明は、食器類を洗浄して乾燥させる食器洗い乾燥機に関するものである。
【背景技術】
【０００２】
従来、洗浄室に収容した食器類を洗浄して乾燥させる食器洗い乾燥機が一般に知られている。そして、この種の食器洗い乾燥機として、食器類の乾燥性能を向上させるため、食器の糸底に溜まった残水や食器類の表面に付着している水滴を圧縮空気により吹き飛ばすように構成されたものが知られている（例えば特許文献１参照）。
【０００３】
この食器洗い乾燥機は、空気圧縮手段としてのエアポンプ、圧縮空気を貯蔵する空気タンクの他、導風路を開閉する開閉弁、導風路と連通した小径の噴射孔を有する複数個の噴射部（噴射ノズル）などを備えている。
【特許文献１】特開２００１−２５８８１３号公報（段落番号００３７、図１）
【発明の開示】
【発明が解決しようとする課題】
【０００４】
ところで、前述した特許文献１に記載の食器洗い乾燥機においては、エアポンプ、空気タンク、導風路、噴射部（噴射ノズル）などの多数の追加部品が必要であり、このため製造コストが嵩むばかりか、これらの追加部品の収容スペースに応じて装置構成が大型化し、総重量も大幅に増加するという問題がある。また、温水によるすすぎ工程で食器類に付与された熱量が圧縮空気の吹き付けにより奪われるため、かえって食器類の乾燥時間が長くなるという問題がある。
【０００５】
そこで、本発明は、装置構成の大型化や総重量の大幅な増加を伴なうことなく食器類の乾燥性能を向上させることができる食器洗い乾燥機を提供することを課題とする。
【課題を解決するための手段】
【０００６】
本発明に係る食器洗い乾燥機は、洗浄ポンプにより圧送される洗浄水を噴射ノズルから噴射させて洗浄室内の食器類を洗浄し、洗浄室の下方のタンクに溜まった洗浄水を排水ポンプにより排水して洗浄室内の食器類を乾燥させる食器洗い乾燥機であって、排水ポンプの回転軸には、その回転により振動を発生させる振動発生部材が固定されており、この振動発生部材を有する排水ポンプがタンクに固定されていることを特徴とする。
【０００７】
本発明に係る食器洗い乾燥機では、排水ポンプの作動によりタンクに溜まった洗浄水を排水して洗浄室内の食器類を乾燥させる際、排水ポンプの回転軸に固定された振動発生部材が振動を発生し、その振動がタンクを介して洗浄室内の食器類に伝達される。そして、この振動により、食器の糸底に溜まった残水や食器類の表面に付着した水滴が振り落とされる。その結果、食器類の乾燥時間が短縮されて乾燥性能が向上する。
【０００８】
本発明の食器洗い乾燥機において、洗浄水を排水する排水工程から食器類を乾燥させる乾燥工程に亘って排水ポンプが作動するように構成されていると、乾燥工程中に噴射ノズルや天井部から滴下して食器類に再付着した水滴も振り落とすことができ、食器類の乾燥時間を確実に短縮できるので好ましい。
【発明の効果】
【０００９】
本発明に係る食器洗い乾燥機においては、タンクに固定された排水ポンプの作動により振動が発生し、この振動により食器の糸底に溜まった残水や食器類の表面に付着した大粒の水滴が振り落とされるため、装置構成の大型化や総重量の大幅な増加を伴なうことなく食器類の乾燥時間を短縮してその乾燥性能を向上させることができる。
【発明を実施するための最良の形態】
【００１０】
以下、図面を参照して本発明に係る食器洗い乾燥機の実施の形態を説明する。参照する図面において、図１は一実施形態に係る食器洗い乾燥機の洗浄部の構造を模式的に示す縦断面図、図２は図１に示した食器洗い乾燥機の乾燥部の構造を模式的に示す縦断面図、図３は図１に示した食器洗い乾燥機のタンクに対する排水ポンプの取付構造を示す斜視図である。
【００１１】
一実施形態に係る食器洗い乾燥機は、図１に示すような洗浄部と、図２に示すような乾燥部とを備えた食器洗い乾燥機である。この食器洗い乾燥機は、図１に示すように、ラック１に収容された皿や茶碗などの食器類ＴＷを収容して洗浄するための洗浄室２を区画する内ケース３と、この内ケース３の下部に連設された樹脂製のタンク４とを備えており、このタンク４の前部には、洗浄水を貯留する洗浄槽４Ａが一体に形成されている。そして、このタンク４の上面側に、ラックレール５を介してラック１が支持されている。なお、内ケース３およびタンク４の周囲は外ケース６で覆われており、この外ケース６の下部は底板７で塞がれている。
【００１２】
洗浄室２内のラック１の上方には、ラック１に収容された食器類ＴＷに向けて上方から洗浄水を噴射するように複数の噴射孔が下向きに形成された上部噴射ノズル８が配置されている。また、タンク４内のラック１の下方には、食器類ＴＷに向けて下方から洗浄水を噴射するように複数の噴射孔が上向きに形成された下部噴射ノズル９が配置されている。
【００１３】
タンク４の下方には、洗浄槽４Ａに溜まった洗浄水を上部噴射ノズル８および下部噴射ノズル９に圧送するための洗浄ポンプ１０と、洗浄槽４Ａに溜まった洗浄水を排水するための排水ポンプ１１とが設置されている。なお、洗浄槽４Ａの開口部には、汚れた洗浄水をろ過するフィルタ４Ｂが設置されている。
【００１４】
洗浄ポンプ１０は、その吸入側が吸水管１２を介して洗浄槽４Ａの側壁部分に連通され、その吐出側が送水管１３を介して上部噴射ノズル８および下部噴射ノズル９に連通されている。そして、この洗浄ポンプ１０の作動により、洗浄槽４Ａ内に溜まった洗浄水が上部噴射ノズル８および下部噴射ノズル９に圧送されるようになっている。
【００１５】
一方、排水ポンプ１１は、その吸入側が弾力性を有する吸水ホース１４を介して洗浄槽４Ａの底部に連通されており、その吐出側には弾力性を有する排水ホース１５が接続されている。そして、この排水ポンプ１１の作動により、洗浄槽４Ａの低部に溜まった洗浄水が排水ホース１５を介して外ケース６の外部に排水されるようになっている。
【００１６】
ここで、タンク４内に温水の洗浄水を供給するため、給湯バルブ１６を有する給湯管１７の一端部が内ケース３の上部に臨んで開口されている。この給湯管１７の他端部は外ケース６の外部に導出されており、図示しない給湯器に接続されるようになっている。
【００１７】
また、タンク４内の洗浄水の水位に応じて給湯管１７の給湯バルブ１６を開閉すると共に洗浄ポンプ１０および排水ポンプ１１の運転を制御するため、洗浄水の溢水水位を検出するフロートスイッチ１８Ａと、洗浄水の定常水位を検出するフロートスイッチ１８Ｂとを有するフロート室１８が内ケース３の背面側に設置されており、このフロート室１８の底部が連通管１９を介して洗浄槽４Ａの底部に連通されている。
【００１８】
図２に示すように、一実施形態の食器洗い乾燥機の乾燥部は、タンク４の後部から内ケース３の前部を覆うドア２０に向けて洗浄室２内に温風を循環させるものであり、タンク４の後部には温風の送風口４Ｃが形成され、ドア２０にはエアフィルタ２１を有する温風の排風路２２が形成されている。
【００１９】
タンク４の送風口４Ｃにはダクト２３を介してヒータ２４およびファンモータ２５が順次接続されている。そして、このファンモータ２５の吸気口に付設されたエアフィルタ２６に向けて外気を導入するように、底板７の前部には、エアフィルタ２７を有する外気導入口７Ａが形成されている。
【００２０】
図３に示すように、前述したタンク４の底面には、排水ポンプ１１（図１参照）を固定するための一対の支持脚部４Ｄ（一方のみ図示）と、底板７（図１、図２参照）をねじ止めするための複数の脚部４Ｅとが一体に突設されている。
【００２１】
一対の支持脚部４Ｄ，４Ｄ（図３では一方のみ図示）は、タンク４の周縁部付近に突設されており、その先端部には、支持ブラケット２８の両端部が一対の止ねじ２９，２９（図４では一方のみ図示）を介して固定される。そして、この支持ブラケット２８には、排水ポンプ１１の下面が防振用のゴム板３０を介して一対の止ねじ３１，３１により固定され、こうして図４および図５に示すように、排水ポンプ１１がタンク４に固定される。
【００２２】
ここで、排水ポンプ１１の回転軸１１Ａ（図５参照）には、その回転により振動を発生させる振動発生部材３２が固定されている。この振動発生部材３２は、排水ポンプ１１にもともと付設されている冷却ファンを利用したものであり、図６に示すように、冷却ファンの円板状の本体部分３２Ａの外周付近に本体部分３２Ａより比重の大きい錘部３２Ｂを埋設した構造を有する。この冷却ファンを利用した振動発生部材３２は、本体部分３２Ａの中心部が排水ポンプ１１の回転軸１１Ａに対し、キー３３介して相対回転不能に嵌合され、ナット３４により軸方向に抜け止めして固定されている。
【００２３】
一方、図３に示したタンク４の複数の脚部４Ｅの先端部には、図７に示す構造の底板７がねじ止めされる。この底板７には、頭部を下にして底板７に固定されるボルト３５Ａと、ボルト３５Ａの頭部に装着されるキャップ状の防振ゴム３５Ｂとを有する構造の複数の防振脚３５が固定されている。そして、この複数の防振脚３５が食器洗い乾燥機の全体を支持するようになっている。
【００２４】
以上のように構成された一実施形態の食器洗い乾燥機では、洗浄工程、洗浄水排水工程、濯ぎ工程、濯ぎ水排水工程および乾燥工程を経ることにより、ラック１と共に洗浄室２内に収容された食器類ＴＷが洗浄されて乾燥される。なお、洗浄工程に先立って、予め所定量の洗剤がタンク４の洗浄槽４Ａ内に投入される。
【００２５】
まず、洗浄工程では、図１に示したタンク４内の洗浄水の水位が定常水位未満であることをフロート室１８のフロートスイッチ１８Ｂが検出し、この検出信号に応じて給湯管１７の給湯バルブ１６が開かれることにより、温水の洗浄水が給湯管１７を介してタンク４内に供給される。そして、タンク４内の洗浄水の水位が定常水位に達すると、その定常水位を検出したフロートスイッチ１８Ｂの検出信号に応じて給湯バルブ１６が閉じられることにより、洗浄水の供給が停止される。
【００２６】
給湯バルブ１６が閉じられると、続いて洗浄ポンプ１０が作動を開始することにより、洗浄槽４Ａ内の洗剤が溶け込んだ温水の洗浄水が送水管１３を介して上部噴射ノズル８および下部噴射ノズル９に圧送される。そして、上部噴射ノズル８から下方に噴射される洗浄水および下部噴射ノズル９から上方に噴射される洗浄水により、ラック１と共に洗浄室２内に収容された食器類ＴＷが洗浄される。
【００２７】
洗浄工程が完了すると、排水ポンプ１１が作動を開始して洗浄水排水工程に入り、タンク４内の洗浄槽４Ａの底部に溜まった洗浄水が排水ホース１５を介して外ケース６の外部に排水される。そして、この排水工程が完了すると、続いて濯ぎ工程に入る。
【００２８】
濯ぎ工程では、前述した洗浄工程と同様の手順により、温水の濯ぎ水が給湯管１７を介してタンク４内に定常水位まで供給される。その後、洗浄ポンプ１０が作動を開始することにより、洗浄槽４Ａ内の温水の濯ぎ水が送水管１３を介して上部噴射ノズル８および下部噴射ノズル９に圧送される。そして、上部噴射ノズル８から下方に噴射される濯ぎ水および下部噴射ノズル９から上方に噴射される濯ぎ水により、洗浄室２内に収容された食器類ＴＷが濯ぎ洗いされる。
【００２９】
濯ぎ工程が完了すると、排水ポンプ１１が作動を開始して濯ぎ水排水工程に入り、タンク４内の洗浄槽４Ａの底部に溜まった濯ぎ水が排水ホース１５を介して外ケース６の外部に排水される。そして、この排水工程が完了すると、続いて乾燥工程に入るが、排水ポンプ１１の作動はこの乾燥工程に亘って継続される。
【００３０】
乾燥工程では、図２に示すヒータ２４およびファンモータ２５が作動を開始することにより、外気が底板７の外気導入口７Ａからエアフィルタ２７を介して外ケース６内に導入され、エアフィルタ２６を介してファンモータ２５の吸気口に吸引される。そして、ファンモータ２５により送出された外気がヒータ２４により加熱されて温風となり、この温風がダクト２３を介してタンク４の送風口４Ｃから洗浄室２内に吹き込まれる。そして、洗浄室２に吹き込まれた温風がドア２０側の排風路２２に向けて洗浄室２内を循環することにより、洗浄室２内に収容された食器類ＴＷが乾燥される。
【００３１】
ここで、一実施形態の食器洗い乾燥機においては、洗浄水排水工程および濯ぎ水排水工程で排水ポンプ１１が作動する際、排水ポンプ１１の回転軸１１Ａに固定された振動発生部材３２が振動を発生する。そして、この振動が排水ポンプ１１からゴム板３０、支持ブラケット２８、支持脚部４Ｄを介してタンク４の周縁部付近に効果的に伝達される。
【００３２】
そして、洗浄水排水工程では、タンク４に伝達された振動が内ケース３および上部噴射ノズル８に伝達されることにより、内ケース３の天井部や上部噴射ノズル８に付着している洗浄水が振り落とされる。このため、洗浄水が確実に排水されるようになり、後工程の濯ぎ工程では、洗剤の含まれない濯ぎ水により食器類ＴＷが確実に濯ぎ洗いされる。
【００３３】
同様に、濯ぎ水排水工程では、タンク４に伝達された振動が内ケース３および上部噴射ノズル８に伝達されることにより、内ケース３の天井部や上部噴射ノズル８に付着している濯ぎ水が振り落とされる。そして、特に、この濯ぎ水排水工程では、タンク４に伝達された振動がラックレール５を介してラック１内の食器類ＴＷに伝達されることにより、食器類ＴＷの糸底に溜まった濯ぎ水の残水や食器類ＴＷの表面に付着した大粒の水滴が振り落とされる。
【００３４】
このため、濯ぎ水排水工程に続く乾燥工程では、温風により食器類ＴＷから蒸発乾燥させる水分量が大幅に低減され、その結果、食器類ＴＷの乾燥速度が飛躍的に向上してその乾燥時間が大幅に短縮されるのであり、食器類ＴＷの乾燥性能が飛躍的に向上する。また、この乾燥工程中においても排水ポンプ１１の作動が継続されるため、乾燥工程中に上部噴射ノズル８や内ケース３の天井部から濯ぎ水が滴下して食器類ＴＷに再付着したとしても、その水滴は確実に振り落とされ、食器類ＴＷの乾燥時間が確実に短縮される。
【００３５】
また、乾燥工程においては、前述のように温風により食器類ＴＷから蒸発乾燥させる水分量が大幅に低減されるため、ヒータ２４による温風の設定温度を低くでき、食器類ＴＷへの熱的影響を抑制することができる。
【００３６】
なお、一実施形態の食器洗い乾燥機においては、排水ポンプ１１をタンク４の支持脚部４Ｄに固定する支持ブラケット２８と排水ポンプ１１との間にゴム板３０が介設されているため、排水ポンプ１１の振動に伴なう騒音の発生が抑制される。また、底板７には、食器洗い乾燥機を全体を支持する複数の防振脚３５が固定されているため、この防振脚３５の防振ゴム３５Ｂによって食器洗い乾燥機全体の振動騒音が低減される。さらに、排水ポンプ１１は、その吸入側が弾力性を有する吸水ホース１４に接続され、その吐出側が弾力性を有する排水ホース１５に接続されているため、振動発生部材３２によって振動が発生しても支障なく排水機能を発揮する。
【００３７】
ここで、一実施形態の食器洗い乾燥機によれば、食器類ＴＷの糸底に溜まった濯ぎ水の残水や食器類ＴＷの表面に付着した大粒の水滴を振り落とすための手段として、排水ポンプ１１の回転軸１１Ａに振動発生部材３２を固定するという簡単な構造を採用しており、しかもこの振動発生部材３２は、排水ポンプ１１にもともと付設されている冷却ファンを利用して構成されているため、装置構成の大型化や総重量の大幅な増加を伴なうことなく低コスト、省スペースで達成できる。
【００３８】
また、回転軸１１Ａに振動発生部材３２が固定された排水ポンプ１１は、食器洗い乾燥機の通常の工程である洗浄水排水工程、濯ぎ水排水工程、乾燥工程で作動するものであり、特別の工程を設ける必要がないため、食器洗い乾燥機の運転時間の増大を回避できる。
【００３９】
本発明に係る食器洗い乾燥機は、一実施形態に限定されるものではない。例えば、乾燥工程中における排水ポンプ１１の作動は、継続的な作動に限らず、断続的な作動であってもよい。
【００４０】
また、排水ポンプ１１の回転軸１１Ａに固定される振動発生部材３２は、図８〜図１２に示す構造のものに変更することができる。図８に示す第１変形例の振動発生部材４０は、回転により振動を発生する偏心円板で構成されており、その中心から偏心した位置が排水ポンプ１１の回転軸１１Ａにキー３３介して相対回転不能に嵌合され、ナット３４により軸方向に抜け止めして固定される。
【００４１】
図９に示す第２変形例の振動発生部材４１は、回転により振動を発生するように外周の一部が直線状に切り欠かれた切欠き円板で構成されており、その中心部が排水ポンプ１１の回転軸１１Ａにキー３３介して相対回転不能に嵌合され、ナット３４により軸方向に抜け止めして固定される。
【００４２】
図１０に示す第３変形例の振動発生部材４２は、回転により振動を発生するようにボス部４２Ａを有する半円状に形成された半円板で構成されており、そのボス部４２Ａが排水ポンプ１１の回転軸１１Ａにキー３３介して相対回転不能に嵌合され、ナット３４により軸方向に抜け止めして固定される。
【００４３】
図１１に示す第４変形例の振動発生部材４３は、図１０に示した振動発生部材４２と同様に構成された２枚の半円板４３Ａ，４３Ｂで構成されており、各半円板４３Ａ，４３Ｂのボス部が排水ポンプ１１の回転軸１１Ａにキー３３介して相対回転不能に嵌合され、ナット３４により軸方向に抜け止めして固定される。
【００４４】
図１２に示す第５変形例の振動発生部材４４は、回転により振動を発生する直方体の偏心ブロックで構成されており、その一端部にはスリット４４Ａが形成され、このスリット４４Ａに連続する装着穴４４Ｂが一端部寄りに偏心して形成されている。そして、この振動発生部材４４は、排水ポンプ１１の回転軸１１Ａに形成された円周溝１１Ｂに装着穴４４Ｂが嵌合され、スリット４４Ａの片側の挟持片４４Ｃから反対側の挟持片４４Ｄにねじ込まれる止ねじ４５により装着穴４４Ｂが縮径して円周溝１１Ｂに圧接し、こうして回転軸１１Ａに固定される。
【００４５】
ここで、図１３に示すように、一実施形態の食器洗い乾燥機には、濯ぎ湯を専用に貯留する貯湯タンク５０を設けることができる。この貯湯タンク５０は、図１に示した給湯管１７から分岐された給湯管５１により給湯バルブ５２を介して給湯されるようになっており、図１に示した洗浄ポンプ１０に図示しない吸水管を介して連通構成されている。
【００４６】
貯湯タンク５０の上部には、図１に示した吸水ホース１４の途中に合流するオーバーフロー管５３が接続されている。このオーバーフロー管５３は、貯湯タンク５０の上部から下方の吸水ホース１４の合流部へ向かってクランク状に屈曲しており、その上下方向に延びる部分には、吸水ホース１４側から貯湯タンク５０側へ向かう汚水の逆流を防止するための逆流防止弁５４が介設されている。
【００４７】
逆流防止弁５４は、従来一般に知られている黄銅製やゴム製の揺動式可動弁を有するものと異なり、図１４および図１５に示すような樹脂製のボール状フロート弁５４Ａを備えて構成されている。
【００４８】
この逆流防止弁５４は、逆流により浮上するボール状フロート弁５４Ａを係止するテーパ面５４Ｂが形成された樹脂製の弁座５４Ｃと、順流より落下するボール状フロート弁５４Ａを係止する穴開きストッパ５４Ｄとを備えている。
【００４９】
こうのような構成の逆流防止弁５４は、吸水ホース１４側から貯湯タンク５０側へ汚水が逆流する際、ボール状フロート弁５４Ａが弁座５４Ｃのテーパ面５４Ｂに沿って浮上し、このテーパ面５４Ｂに密着して汚水の逆流を確実に阻止する。そして、この逆流防止効果は、食器洗い乾燥機が多少傾いて設置されている場合においても、十分に発揮される。
【図面の簡単な説明】
【００５０】
【図１】本発明の一実施形態に係る食器洗い乾燥機の洗浄部の構造を模式的に示す縦断面図である。
【図２】図１に示した食器洗い乾燥機の乾燥部の構造を模式的に示す縦断面図である。
【図３】図１に示した食器洗い乾燥機のタンクに対する排水ポンプの取付構造を示す斜視図である。
【図４】図３に示したタンクに対する排水ポンプの取付構造を示す側面図である。
【図５】図４に示したタンクに対する排水ポンプの取付構造を示す底面図である。
【図６】図３〜５に示した振動発生部材の構造を示す正面図である。
【図７】図３に示したタンクの脚部にねじ止めされる底板の構造を示す斜視図である。
【図８】振動発生部材の第１変形例を示す正面図である。
【図９】振動発生部材の第２変形例を示す正面図である。
【図１０】振動発生部材の第３変形例を示す正面図である。
【図１１】振動発生部材の第４変形例を示す正面図である。
【図１２】振動発生部材の第５変形例を示す正面図である。
【図１３】一実施形態の食器洗い乾燥機に付設される貯湯タンクのオーバーフロー管および逆流防止弁を模式的に示す正面図である。
【図１４】図１３に示した逆流防止弁の内部構造を示す断面図である。
【図１５】図１３に示した逆流防止弁の内部構造を一部破断して示す斜視図である。
【符号の説明】
【００５１】
１    ラック
２    洗浄室
３    内ケース
４    タンク
４Ａ  洗浄槽
４Ｄ  支持脚部
５    ラックレール
７    底板
８    上部噴射ノズル
９    下部噴射ノズル
１０    洗浄ポンプ
１１    排水ポンプ
１１Ａ  回転軸
１４    吸水ホース
１５    排水ホース
２２    排風路
２３    ダクト
２４    ヒータ
２５    ファンモータ
２８    支持ブラケット
２９    止ねじ
３０    ゴム板
３１    止ねじ
３２    振動発生部材
３２Ａ  本体部分
３２Ｂ  錘部
３３    キー
３４    ナット
３５    防振脚
３５Ａ  ボルト
３５Ｂ  防振ゴム
ＴＷ    食器類
【図１】
2005052369.tif 000003
【図２】
2005052369.tif 000004
【図３】
2005052369.tif 000005
【図４】
2005052369.tif 000006
【図５】
2005052369.tif 000007
【図６】
2005052369.tif 000008
【図７】
2005052369.tif 000009
【図８】
2005052369.tif 000010
【図９】
2005052369.tif 000011
【図１０】
2005052369.tif 000012
【図１１】
2005052369.tif 000013
【図１２】
2005052369.tif 000014
【図１３】
2005052369.tif 000015
【図１４】
2005052369.tif 000016
【図１５】
2005052369.tif 000017